(57)【特許請求の範囲】
【請求項１】
枠体と、内障子と、外障子を備え、
内障子の召合框の室外側に設けられた煙返し片と外障子の召合框の室内側に設けられた煙返し片とによって煙返しが形成されているとともに、外障子もしくは内障子の召合框の見付面から凹ませた凹部に加熱発泡材が設けられており、
加熱発泡材は、召合框の横框が連結する部分を含む上下部分にのみ設けられており、凹部は、一方の側壁を垂直面とし、他方の側壁を傾斜面としており、凹部の底面の見付幅は、凹部の側壁と加熱発泡材との間に空間が形成される見付幅である防火建具
【請求項２】
枠体と、内障子と、外障子を備え、
内障子の召合框の室外側に設けられた煙返し片と外障子の召合框の室内側に設けられた煙返し片とによって煙返しが形成されているとともに、外障子もしくは内障子の召合框の見付面から凹ませた凹部に加熱発泡材が設けられており、
加熱発泡材は、召合框の長手方向全長にわたって設けられており、凹部は、一方の側壁を垂直面とし、他方の側壁を傾斜面としており、凹部の底面の見付幅は、凹部の側壁と加熱発泡材との間に空間が形成される見付幅である防火建具
【発明の詳細な説明】
【技術分野】
【０００１】
本発明は、火災時に、枠体の枠材と障子の框材との間における室内外の連通を防止する防火建具に関する。
【背景技術】
【０００２】
従来、枠体の内周に障子を配置した建具において、障子の召合框に煙返しを備える建具が知られている。
【先行技術文献】
【特許文献】
【０００３】
【特許文献１】特開２００６−２９１４７８号公報
【発明の概要】
【発明が解決しようとする課題】
【０００４】
特許文献１に示す建具においては、内障子の召合框の室外側に設けられた煙返し片と外障子の召合せ框の室内側面に設けられた煙返し片とによって煙返しが形成されている。
しかし、近年、高い防火性能が求められており、内外障子の召合せ部においても、防火性能を高めて火災時に室内外の連通を防止するための工夫が求められている。
【０００５】
本実施形態の防火建具は、上記の事情を鑑みてなされたものであり、内、外障子の召合部の構成と火災時に発泡する加熱発泡材との組合せによって、障子の召合部に高い防火性能を付与することを目的とする。
【課題を解決するための手段】
【０００６】
本発明の一実施形態は、枠体と、内障子と、外障子を備え、内障子の召合框の室外側に設けられた煙返し片と外障子の召合框の室内側に設けられた煙返し片とによって煙返しが形成されているとともに、外障子もしくは内障子の召合框の見付面から凹ませた凹部に加熱発泡材が設けられており、加熱発泡材は、召合框の横框が連結する部分を含む上下部分にのみ設けられており、凹部は、一方の側壁を垂直面とし、他方の側壁を傾斜面としており、凹部の底面の見付幅は、凹部の側壁と加熱発泡材との間に空間が形成される見付幅である防火建具である。
また、本発明の他の実施形態は、枠体と、内障子と、外障子を備え、内障子の召合框の室外側に設けられた煙返し片と外障子の召合框の室内側に設けられた煙返し片とによって煙返しが形成されているとともに、外障子もしくは内障子の召合框の見付面から凹ませた凹部に加熱発泡材が設けられており、加熱発泡材は、召合框の長手方向全長にわたって設けられており、凹部は、一方の側壁を垂直面とし、他方の側壁を傾斜面としており、凹部の底面の見付幅は、凹部の側壁と加熱発泡材との間に空間が形成される見付幅である防火建具である。
【発明の効果】
【０００７】
本実施形態によれば、内、外障子の召合部に配置した加熱発泡材によって、より確実に障子の召合部の連通を防止することができ、防火性能を高めることができる。
【図面の簡単な説明】
【０００８】
【図１】本発明の実施形態に係る防火建具の内観図である。
【図２】本発明の実施形態に係る防火建具の竪断面図である。
【図３】本発明の実施形態に係る防火建具の横断面図である。
【図４】本発明の実施形態に係る防火建具の召合せ部の図であり、（ａ）は拡大横断面図、（ｂ）は加熱発泡材を配置する凹部の拡大横断面図である。
【図５】本発明の実施形態に係る防火建具の外障子の召合框の図であり、（ａ）は内周側から見た図であり、（ｂ）（ｃ）は、室内側から見た図である。
【発明を実施するための形態】
【０００９】
本発明の実施形態について、図１に示す、四周に組んだ枠体１の内周に、四周に組んだ框体の内周にパネル等をはめ込んでなる内、外障子２、３を開閉自在に支持してなる引違い窓を用いて説明する。
【００１０】
（全体の構成）
本実施形態の引違い窓の枠体１は、上枠１１、下枠１２及び左、右竪枠１３，１４を四周組して形成されており、内、外障子２、３は、それぞれ上框２１，３１、下框２２，３２及び左、右竪框２３，２４，３３，３４を四周組してなる框体の内周にパネル体２５，３５を保持して形成されている。
【００１１】
（上枠部分の構成）
枠体１を構成する上枠１１は、躯体開口部の内周に配置される上枠本体部１１１ａと、上枠本体部１１１ａの室内側から内周方向に延びる室内側壁部１１１ｂと、上枠本体部１１１ａの室外側から内周方向に延びる室外側壁部１１１ｃと、上枠本体部１１１ａの見込み方向略中央位置において内周面から下方に延びる中央見付壁部１１１ｄと、上枠本体部１１１ａの内周面で中央見付壁部１１１ｄよりも室外側から内周方向に延びる上外レール１１１ｅを有している。
【００１２】
上枠１１は、室内側壁部１１１ｂの室外側面の下方位置に内障子２の上框２１の室内側面に当接する気密材ｓ１１を有しており、中央見付壁部１１１ｄの室外側面の下方位置に外障子３の上框３１の室内側面に当接する気密材ｓ１２を有している。
上枠１１は、室内側壁部１１１ｂと中央見付壁部１１１ｄによって、内障子２の上部を案内する案内溝を形成している。
【００１３】
内障子２を構成する上框２１は、中空部を有する上框本体部２１１ａと、上框本体部２１１ａの内周に形成されるガラス間口部２１１ｂを有しており、ガラス間口部２１１ｂには、バックアップ材ｂ及びシール材ｓを介して複層ガラスからなるパネル体２５が保持されている。
【００１４】
外障子３を構成する上框３１は、中空部を有する上框本体部３１１ａと、上框本体部３１１ａの内周に形成されるガラス間口部３１１ｂを有しており、ガラス間口部３１１ｂには、バックアップ材ｂ及びシール材ｓを介して複層ガラスからなるパネル体３５が保持されている。上框本体部３１１ａの外周側には、上外レール１１１ｅを案内する案内溝３１１ｃが設けられている。
【００１５】
（下枠部分の構成）
枠体１を構成する下枠１２は、躯体開口部の内周面に沿う下枠本体部１２１ａと、下枠本体部１２１ａの室内側に連続する中空形状の立上り部１２１ｂと、立上り部１２１ｂの室内側から内周方向に延びる室内側壁部１２１ｃと、立上り部１２１ｂの室外側端から内周方向に延びる下内レール１２１ｄと、立上り部１２１ｂの室外側端から室外側に延びる気密材取付片１２１ｅと、下枠本体部１２１ａの室外側内周面から内周方向に延びる下外レール１２１ｆを有している。
【００１６】
下枠１２は、室内側壁部１２１ｃの室外側面の上端に内障子２の下框２２の室内側面に当接若しくは近接する気密材ｓ２１が配置されており、気密材取付片１２１ｅの室外側端部には、外障子２の下框３２の室内側面に当接する気密材ｓ２２が配置されている。
【００１７】
内障子２を構成する下框２２は、下内レール１２１ｄに案内される戸車９を収容する下框本体部２２１ａと、ガラス間口部２２１ｂを有しており、ガラス間口部２２２には、セッティングブロックが配置されており、セッティングブロックに載置された複層ガラスからなるパネル体２５がバックアップ材ｂ及びシール材ｓを介して保持されている。
【００１８】
外障子３を構成する下框３２は、下外レール１２１ｆに案内される戸車９を収容する下框本体部３２１ａと、ガラス間口部３２１ｂを有しており、ガラス間口部３２１ｂには、セッティングブロックが配置されており、セッティングブロックに載置された複層ガラスからなるパネル体３５がバックアップ材ｂ及びシール材ｓを介して保持されている。
【００１９】
（竪枠部分の構成）
枠体１を構成する左竪枠１３は、躯体開口部の内周に配置される竪枠本体部１３１ａと、竪枠本体部１３１ａの室内側から内周方向に延びる室内側壁部１３１ｂと、竪枠本体部１３１ａの室外側から内周方向に延びる室外側壁部１３１ｃと、竪枠本体部１３１ａの見込み方向略中央位置において内周面から内周方向に延びる中央見付壁部１３１ｄを有している。
【００２０】
左竪枠１３は、中央見付壁部１３１ｄと室外側壁部１３１ｃによって、外障子３の左竪框（戸先框）３３が挿入される収容部が形成されている。
左竪枠１３の中央見付壁部１３１ｄの室外側面に気密材ｓ３１が配置されており、収容部における竪枠本体部１３１ａの内周には、閉鎖時に外障子３の戸先框３３の室内側面を気密材ｓ３１に押し付ける引寄せ片１３１ｅが形成されている。
【００２１】
右竪枠１４は、左竪枠１３と同様に、竪枠本体部１４１ａと、室内側壁部１４１ｂと、室外側壁部１４１ｃと、中央見付壁部１４１ｄを有しており、室内側壁部１４１ｂと中央見付壁部１４１ｄによって、内障子２の右竪框（戸先框）２４が挿入される収容部が形成されている。
右竪枠１４の室内側壁部１４１ｂの室外側に気密材ｓ３２が配置されており、収容部における竪枠本体部１４１ａの内周には、閉鎖時に内障子２の戸先框２４の室内側面を気密材ｓ３２に押し付ける引寄せ片１４１ｅが形成されている。
【００２２】
内障子２を構成する左竪框２３は、中空部を有する左竪框本体部２３１ａと、左竪框本体部２３１ａの内周側に設けられるガラス間口部２３１ｂを有しており、ガラス間口部２３１ｂには、バックアップ材ｂ及びシール材ｓを介して複層ガラスからなるパネル体２５が保持されている。
【００２３】
左竪框２３の外周面には、クレセント錠６１が設けられ、左竪框２３の室外側面には、煙返し７を構成する煙返し片７１が形成されていると共に、気密材及び加熱発泡材ｆ４１が配置されている。（図４）
左竪框２３の室外側面に形成された煙返し片７１は、図２に示すように、上枠１１の中央見付壁部１１１ｄと干渉する上部分が切除されている。
【００２４】
内障子２を構成する右竪框２４は、中空部を有する右竪框本体部２４１ａと、右竪框本体部２４１ａの内周側に連続するガラス間口部２４１ｂと、右竪框本体部２４１ａの外周側に連続し溝状をなす戸先部２４１ｃを有している。
【００２５】
右竪框２４のガラス間口部２４１ｂには、バックアップ材ｂ及びシール材ｓを介してパネル体２５が保持されている。
戸先部２４１ｃは、溝内に引き寄せブロック２４１ｄを有しており、内障子２の閉鎖時に引き寄せブロック２４１ｄが右竪枠１４の引寄せ片１４１ｅに当接して右竪框２４を竪枠１３の室内側壁部１４１ｂに設けた気密材ｓ３２に押し付ける。
【００２６】
外障子３を構成する左竪框３３は、中空部を有する左竪框本体部３３１ａと、左竪框本体部３３１ａの内周側に連続するガラス間口部３３１ｂと、左竪框本体部３３１ａの外周側に連続し溝状をなす戸先部３３１ｃを有している。
【００２７】
左竪框３３のガラス間口部３３１ｂには、バックアップ材ｂ及びシール材ｓを介してパネル体３５が保持されている。
戸先部３３１ｃは、溝内に引き寄せブロック３３１ｄが配置されており、外障子３の閉鎖時に引き寄せブロック３３１ｄが左竪枠１３の引寄せ片１３１ｅに当接して左竪框３３を竪枠１３の中央見付壁部１３１ｄに設けた気密材ｓ３１に押し付ける。
【００２８】
外障子３を構成する右竪框３４は、中空部を有する右竪框本体部３４１ａと、右竪框本体部３４１ａの内周側に連続するガラス間口部３４１ｂを有しており、ガラス間口部３４１ｂには、バックアップ材ｂ及びシール材ｓを介してパネル体３５が保持されている。
【００２９】
右竪框３４の室内側面には、クレセント受６２が設けられ、右竪框３４の室内側面には、煙返し７を構成する煙返し片７２が形成されていると共に、加熱発泡材ｆ４２が配置されている。（図４）
右竪框３４の室内側面に形成された煙返し片７２は、図２に示すように、上枠１１の中央見付壁部１１１ｄに干渉する上部分及び下枠２の気密材取付片１２１ｅに干渉する下部分が切除されている。
【００３０】
そして、本実施形態の防火建具においては、内、外障子２，３の召合せ部の構成を工夫するとともに、召合せ部に加熱発泡材ｆ４１，ｆ４２を配置することで、召合せ部における室内外の連通を抑制している。
以下、内、外障子２，３の召合せ部の構成について、図４を参考にさらに説明する。
【００３１】
内障子２の左竪框（召合框）２３は、図４（ａ）に示すように、矩形中空形状を有する左竪框本体部２３１ａと、左竪框本体部２３１ａよりも見込み方向の寸法が大きいガラス間口部２３１ｂを有しており、左竪框本体部２３１ａとガラス間口部２３１ｂの室外側面はほぼ面一に形成されている。
なお、本実施形態の内障子２の召合框２３の見付寸法Ａは、比較的大きく形成されており、一例として４０ｍｍ程度の見付寸法を有している。
【００３２】
左竪框２３は、左竪框本体部２３１ａとガラス間口部２３１ｂとを仕切る見込み壁２３１ｃが面一の室外側面から室外側に突出し、その後内周側に屈曲しており、ガラス間口部２３１ｂの室外側に沿って煙返し片７１が形成されている。煙返し片７１の室内側面は、内周に行くほど室外側に向かう傾斜面に形成されている。  
【００３３】
左竪框本体部２３１ａの外周側の室外側面に気密材ｓ４が配置されており、気密材ｓ４と煙返し片７１との間に加熱発泡材ｆ４１が配置されている。
【００３４】
外障子３の右竪框（召合框）３４は、矩形中空形状を有する右竪框本体部３４１ａと、右竪框本体部３４１ａよりも見込み方向の寸法が大きいガラス間口部３４１ｂを有しており、右竪框本体部３４１ａとガラス間口部３４１ｂの室内側面はほぼ面一に形成されている。なお、外障子３の召合框３４と内障子２の召合框２３は、ほぼ同じ見付幅寸法Ａを有しており、竪框本体部及びガラス間口部の断面形状は、ほぼ同じ形状に形成されている。
【００３５】
右竪框３４は、右竪框本体部３４１ａの外周壁３４１ｃが室内側面から室内側に突出し、その後内周側に屈曲しており、右竪框本体部３４１ａの室内側に沿って煙返し片７２が形成されている。煙返し片７２の室内側面は、内周に行くほど室内側に向かう傾斜面に形成されている。  
【００３６】
そして、煙返し７を構成する内障子２の煙返し片７１と外障子３の煙返し片７２とのかかり代（たとえば、内障子２の煙返し片７１の傾斜面と外障子３の煙返し片７２の傾斜面の当接部）見付け寸法ｘ１は、少なくとも内、外障子２，３の召合框２３，３４の見付幅寸法Ａの１／３以上の寸法を有しており、比較的大きなかかり代を形成している。
【００３７】
右竪框本体部３４１ａの室内側面には凹部３４１ｄが形成されており、凹部３４１ｄに加熱発泡材ｆ４２が配置されている。
右竪框本体部３４１ａの室内側面に形成された凹部３４１ｄは、図４（ｂ）に示すように、室内側面に対してほぼ直角の面であり凹部３４１ｄの外周側の壁面を形成する外周面３４１ｅと、外周側から内周側に行くにしたがって室外側から室内側に傾斜する内周面３４１ｆと、右竪框本体部３４１ａの室内側面と平行の面である底面３４１ｇを有しており、内周面３４１ｆは煙返し片７２の内周側端よりも内周側に位置している。
【００３８】
右竪框本体部３４１ａの室内側面に加熱発泡材ｆ４２を配置するに際しては、凹部３４１ｄの傾斜する内周面３４１ｆ側から外周面３４１ｅに到達するまで加熱発泡材ｆ４２を挿入することで、煙返し片７２の室外側に加熱発泡材ｆ４２を位置決めして配置することができる。
【００３９】
右竪框本体部３４１ａの室内側面に配置される加熱発泡材ｆ４２は、図５（ａ）（ｂ）に示すように、右竪框３４の長手方向全長に配置してもよいが、図５（ｃ）に示すように、召合框３４の上、下框３１，３２が連結する部分を含む上下部分にのみ配置してもよい。
【００４０】
以上のように、本実施形態の防火建具においては、内障子及び外障子の召合框の見付寸法を大きく形成するとともに、召合せ部に形成される煙返しのかかり代の見付け寸法を内、外障子の召合框の見付寸法の１／３以上としたので、火災時に上下框が伸びることなどによって召合せ部が変形した場合であっても煙返し片同士の係合が外れにくく、内、外障子の連携状態を維持することができると共に、召合せ部において室内外が連通することを抑制することができる。
【００４１】
さらに、火災時の上下框の伸びることで変形が生じやすい竪框の上下部分の煙返しの近傍に加熱発泡材を配置することで、変形によって隙間が生じやすい煙返しの上下部分を加熱発泡材によって塞ぐことができ、比較的上下寸法の大きな建具においても、召合せ部の室内外の連通を防止することができる。
【００４２】
また、召合部の加熱発泡材を配置する部位には、凹部を形成するとともに、凹部の一方の側面を垂直壁とし、他方の側壁を傾斜面とすることで、加熱発泡材の配置及び位置決めをスムーズすることができる。
【００４３】
なお、各実施形態においては、框体に取り付けられる加熱発泡材は、枠体もしくは框体に形成された凹部によって保持されているが、加熱発泡材の配置は、凹部によるものに限らず、例えば両面テープや接着によって固定されていてもよいし、ネジ等によって固定してもよい。
なお、加熱発泡材を配置する凹部は、召合框以外の部位に形成されていてもよい。
【００４４】
なお、以上の実施形態は，請求項に記載された発明を限定するものではなく，例示として取り扱われることは言うまでもない。
【符号の説明】
【００４５】
１        ：枠体
２        ：内障子
２３      ：左竪框（召合框）
３        ：外障子
３４      ：右竪框（召合框）
７        ：煙返し
７１      ：煙返し片
７２      ：煙返し片
ｆ４１，ｆ４２：加熱発泡材
【要約】
【課題】火災時に、障子の召合部の連通を防止して防火性能を高める。
【解決手段】内障子の召合框の室外側に設けられた煙返し片と外障子の召合框の室内側面に設けられた煙返し片とによって煙返しが形成されているとともに、外障子もしくは内障子の召合框に加熱発泡材が設けられており、煙返しのかかり代の見付け寸法は、内障子及び外障子の召合框の見付け寸法の少なくとも１／３以上の寸法を有し、外障子に設けられた煙返し片の上下部分及び内障子に設けられた煙返し片の上部分を切除する。
【選択図】  図４【図１】
0006669924.tif 000002
【図２】
0006669924.tif 000003
【図３】
0006669924.tif 000004
【図４】
0006669924.tif 000005
【図５】
0006669924.tif 000006